(57)【要約】【課題】金属微粒子生成部の放電極とミスト生成部の放電極のうち、金属微粒子生成部の放電極に対して、外部からの異物等がより到達し難くなるようにした髪ケア装置を得る。【解決手段】金属微粒子排出口２０ａを、ミスト排出口２０ｂより小さく形成した。このため、ミスト排出口２０ｂを介してのミスト生成部１１のメンテナンスや状態の確認等をより容易に行うことができるとともに、金属微粒子排出口２０ａを介しての手指や、道具、異物等の誤進入を抑制することができる。【選択図】図３
2010125170.tif 000002
【特許請求の範囲】
【請求項１】
ケース内に、放電極とグラウンド電極とを有し当該放電極とグラウンド電極との間に電圧を印加して放電させることにより金属微粒子を生成する金属微粒子生成部と、放電極とグラウンド電極とを有し当該放電極とグラウンド電極との間に電圧を印加して放電させることにより供給された水を微粒化してミストを生成するミスト生成部と、を収容した髪ケア装置であって、
前記髪ケア装置の外壁に、前記金属微粒子生成部で生成された金属微粒子が排出される金属微粒子排出口と前記ミスト生成部で生成されたミストが排出されるミスト排出口とを形成し、
前記金属微粒子生成部を前記金属微粒子排出口に対向させて設け、前記ミスト生成部を前記ミスト排出口に対向させて設け、
前記金属微粒子排出口を、前記ミスト排出口より小さく形成したことを特徴とする髪ケア装置。
【請求項２】
前記金属微粒子生成部の前記放電極を線材によって構成したことを特徴とする請求項１に記載の髪ケア装置。
【請求項３】
前記金属微粒子生成部のグラウンド電極に金属微粒子を通過させる開口部を形成し、
前記開口部を、前記金属微粒子排出口と同じ大きさかまたはより小さく形成したことを特徴とする請求項１または２に記載の髪ケア装置。
【請求項４】
前記金属微粒子排出口に、金属微粒子の放出方向に向けてラッパ状に拡開する拡開部を設けたことを特徴とする請求項１〜３のうちいずれか一つに記載の髪ケア装置。
【発明の詳細な説明】
【技術分野】
【０００１】
本発明は、髪ケア装置に関する。
【背景技術】
【０００２】
従来の髪ケア装置としてのヘアドライヤとして、放電極とグラウンド電極とを有し当該放電極とグラウンド電極との間に電圧を印加して放電させることにより金属微粒子を生成する金属微粒子生成部を備えたものが知られている（特許文献１）。
【０００３】
また、ヘアドライヤとして、放電極とグラウンド電極とを有し当該放電極とグラウンド電極との間に電圧を印加して放電させることにより供給された水を微粒化してミストを生成するミスト生成部を備えたものが知られている（特許文献２）。
【特許文献１】特開２００８−  ２３０６３号公報
【特許文献２】特開２００８−１２６１３９号公報
【発明の開示】
【発明が解決しようとする課題】
【０００４】
この種の髪ケア装置では、金属微粒子生成部では、放電極から金属微粒子が放出されるため、当該放電極は、ミスト生成部の放電極に比べて、異物等の付着に対する影響をより大きく受けやすいということができる。また、放電極が徐々に消失して小さくなった状態でも放電性を確保するために比較的細長く形成すると、その分、変形しやすくなってしまう。逆に、ミスト生成部の放電極については、綿棒等の道具を用いてメンテナンスを行わせるような場合もある。
【０００５】
そこで、本発明は、金属微粒子生成部の放電極とミスト生成部の放電極のうち、金属微粒子生成部の放電極に対して、外部からの異物等がより到達し難くなるようにした髪ケア装置を得ることを目的とする。
【課題を解決するための手段】
【０００６】
請求項１の発明にあっては、ケース内に、放電極とグラウンド電極とを有し当該放電極とグラウンド電極との間に電圧を印加して放電させることにより金属微粒子を生成する金属微粒子生成部と、放電極とグラウンド電極とを有し当該放電極とグラウンド電極との間に電圧を印加して放電させることにより供給された水を微粒化してミストを生成するミスト生成部と、を収容した髪ケア装置であって、上記髪ケア装置の外壁に、上記金属微粒子生成部で生成された金属微粒子が排出される金属微粒子排出口と上記ミスト生成部で生成されたミストが排出されるミスト排出口とを形成し、上記金属微粒子生成部を上記金属微粒子排出口に対向させて設け、上記ミスト生成部を上記ミスト排出口に対向させて設け、上記金属微粒子排出口を、上記ミスト排出口より小さく形成したことを特徴とする。
【０００７】
請求項２の発明にあっては、上記金属微粒子生成部の上記放電極を線材によって構成したことを特徴とする。
【０００８】
請求項３の発明にあっては、上記金属微粒子生成部のグラウンド電極に金属微粒子を通過させる開口部を形成し、上記開口部を、上記金属微粒子排出口と同じ大きさかまたはより小さく形成したことを特徴とする。
【０００９】
請求項４の発明にあっては、上記金属微粒子排出口に、金属微粒子の放出方向に向けてラッパ状に拡開する拡開部を設けたことを特徴とする。
【発明の効果】
【００１０】
請求項１の発明によれば、金属微粒子排出口をミスト排出口より小さくしたので、異物等が外部から金属微粒子排出口を介して金属微粒子生成部の放電極に到達するのを抑制することができる。また、ミスト生成部に対してメンテナンスを行う場合に、誤って金属微粒子排出口から道具等を進入させてしまうのを抑制することができる。
【００１１】
請求項２の発明によれば、金属微粒子が放出されて放電極が徐々に消失しても、先端部の形状をほぼ同じ形状に維持しやすくなるため、放電性能ひいては金属微粒子の放出性能の経時劣化を抑制することができる。そして、比較的小さく形成された金属微粒子排出口から異物等が進入し難くなって、当該異物等による放電極の変形等が生じにくくなるため、放電極を線材にしやすくなり、当該線材とすることによる上記効果を得やすくなっている。
【００１２】
請求項３の発明によれば、金属微粒子生成部のグラウンド電極の開口部をより小さくすることで、金属微粒子生成部のグラウンド電極が遮蔽壁となって、外部からの異物等が放電極により一層到達し難くなる。
【００１３】
請求項４の発明によれば、拡開部によって、金属微粒子の拡散性を高めることができる。
【発明を実施するための最良の形態】
【００１４】
以下、本発明の好適な実施形態について図面を参照しながら説明する。なお、以下の複数の実施形態ならびに変形例には同様の構成要素が含まれている。よって、以下では、それら同様の構成要素に共通の符号を付与するとともに、重複する説明を省略する。
【００１５】
（第１実施形態）図１は、本実施形態にかかる髪ケア装置としてのヘアドライヤの断面図、図２は、ヘアドライヤを出口開口側から見た正面図、図３は、ヘアドライヤの本体部内で金属微粒子生成部とミスト生成部が設けられる部分を拡大して示す平面図、図４は、金属微粒子排出口およびミスト排出口を拡大して示した正面図である。
【００１６】
本実施形態にかかる髪ケア装置としてのヘアドライヤ１は、使用者が手で握る部分としての把持部１ａと、把持部１ａと交差する方向に結合された本体部１ｂとを備えており、使用時には把持部１ａと本体部１ｂとで略Ｔ字状あるいは略Ｌ字状（本実施形態では略Ｔ字状）の外観を呈するように構成されている。把持部１ａの突出端部からは、電源コード２が引き出されている。また、把持部１ａは、本体部１ｂ側の根元部１ｃと先端部１ｄとに分割されており、これら根元部１ｃと先端部１ｄとが、連結部１ｅを介して回動可能に連結されている。先端部１ｄは、本体部１ｂに沿う位置まで折り畳むことができるようになっている。
【００１７】
ヘアドライヤ１の外壁をなすケース３は、複数の分割体を継ぎ合わせて構成されている。ケース３の内部には空洞が形成されており、この空洞内に、各種電気部品が収容されている。
【００１８】
本体部１ｂの内部には、その長手方向（図１の左右方向）の一方側（右側）の入口開口４ａから出口開口４ｂに至る風洞４が形成されており、この風洞４内に収容されたファン５を回転させることによって空気流Ｗが形成される。すなわち、空気流Ｗは、外部から入口開口４ａを介して風洞４内に流入し、当該風洞４内を通って出口開口４ｂから外部に排出される。
【００１９】
また、本体部１ｂにおいて、ケース３の外筒３ａの内部には、略円筒状の内筒６が設けられており、空気流Ｗはこの内筒６の内側を流れるようになっている。内筒６の内側では、最も上流側にファン５が配置され、その下流側にファン５を駆動するモータ７が配置され、モータ７のさらに下流側に加熱機構としてのヒータ８が配置されている。ヒータ８を作動させたときには、出口開口４ｂから温風が吹き出されることになる。なお、本実施形態では、ヒータ８は、帯状かつ波板状の電気抵抗体を内筒６の内周に沿って巻回して配置したものとして構成されているが、かかる構成には限定されない。
【００２０】
そして、本体部１ｂ内で、ケース３と内筒６との間に形成された空洞９に、金属微粒子生成部１０や、ミスト生成部１１、ミスト生成部１１に電圧を印加する第二の電圧印加回路１２等が収容されている。また、把持部１ａの根元部１ｃ内の空洞１３には、金属微粒子生成部１０に電圧を印加する第一の電圧印加回路１４や、動作モードの切り換え等を行うスイッチ部１５が収容されている。さらに、把持部１ａの先端部１ｄ内の空洞には、電源のＯＮとＯＦＦとの切り換えや動作モードの切り換え等を行う別のスイッチ部１６が収容されている。これら電気部品同士は、金属導体等からなる芯線を絶縁性樹脂等で被覆したリード線１７によって接続されている。なお、スイッチ部１５，１６は、ケース３の表面に露出した操作子１８，１９を操作することで、内部接点の開閉状態を切り換えることができるように構成されている。
【００２１】
第一の電圧印加回路１４および第二の電圧印加回路１２は、図１に示すように、把持部１ａ内、または本体部１ｂ内で把持部１ａの延長線上となる領域に配置するのが好適である。使用者が把持部１ａを持ったときに、第一の電圧印加回路１４および第二の電圧印加回路１２に作用する重力による回転モーメント（のモーメントアーム）を小さくして、使用者の手に作用する負荷を小さくするためである。
【００２２】
また、図１に示すように、本実施形態では、これら第一の電圧印加回路１４および第二の電圧印加回路１２を、内筒６を挟んで相互に反対側となる位置に配置している。すなわち、第一の電圧印加回路１４と第二の電圧印加回路１２との間に内筒６を介在させることで、第一の電圧印加回路１４と第二の電圧印加回路１２との相互干渉による電圧の低下や不安定化等の不具合を抑制している。
【００２３】
内筒６は、筒状部６ａと、筒状部６ａから径方向外側に向けて伸びて周方向に分散して配置された複数の支持リブ６ｂ（図１では一箇所のみ図示）と、支持リブ６ｂを介して筒状部６ａに接続され当該筒状部６ａの軸方向と略直交する方向に張り出すフランジ部６ｃと、を有している。筒状部６ａとフランジ部６ｃとの間には間隙ｇ１が形成されており、この間隙ｇ１を介して空洞９内に空気流Ｗの一部が分岐されて流入し、分岐流Ｗｐが形成されている。なお、分岐流Ｗｐの空洞９内への導入口となる間隙ｇ１は、ファン５の下流でありかつヒータ８の上流側となる位置に設けられている。したがって、分岐流Ｗｐは、ヒータ８によって加熱される前の、比較的冷たい空気流となる。
【００２４】
また、図３に示すように、金属微粒子生成部１０に繋がるリード線１７ａと、ミスト生成部１１に繋がるリード線１７ｂとは、相互に交叉させることなく極力離間させて配索するのが好適である。リード線１７ａ，１７ｂを流れる電流の相互干渉によって、金属微粒子生成部１０あるいはミスト生成部１１で所望の電圧が得られなくなったり、電圧が不安定になったりするのを抑制するためである。本実施形態では、金属微粒子生成部１０をミスト生成部１１に対して内筒６の周方向一方側（図３では上側）に離間して配置するとともに、リード線１７ａを内筒６と外筒３ａとの間で金属微粒子生成部１０に対して内筒６の周方向一方側となる領域に配索し、かつ、リード線１７ｂを内筒６と外筒３ａとの間でミスト生成部１１に対して内筒６の周方向他方側（図３では下側）となる領域に配索している。
【００２５】
ケース３には、図２に示すように、空洞９の出口開口４ｂ側となる位置に、楕円形の貫通孔３ｂが形成されており、この貫通孔３ｂを絶縁性の合成樹脂材料からなるカバー２０で塞いである。カバー２０には、金属微粒子排出口２０ａとミスト排出口２０ｂとが形成されている。カバー２０は、金属微粒子あるいはミストによる帯電を抑制するため、ケース３よりも導電性を低くするのが好適である。カバー２０が帯電すると、その電荷によって、金属微粒子生成部１０やミスト生成部１１から電荷を帯びた金属微粒子やミストが放出されにくくなるからである。なお、この部分では、カバー２０がヘアドライヤ１の外壁を成している。
【００２６】
金属微粒子生成部１０は、導電性を有する金属材料によって形成される放電極１０ａおよびグラウンド電極１０ｂを有しており、これら放電極１０ａとグラウンド電極１０ｂとの間に第一の電圧印加回路１４によって高電圧を印加して放電（コロナ放電等）を生じさせ、その放電作用によって放電極１０ａやグラウンド電極１０ｂ等から金属微粒子（金属の分子やイオン等）を放出させるものである。
【００２７】
この金属微粒子生成部１０は、箱状の筐体１０ｃを備えており、放電極１０ａは、筐体１０ｃ内で、当該筐体１０ｃに固定された基台部（例えばプリント基板等、図示せず）に、例えばはんだ付けやかしめ等によって固定されている。
【００２８】
放電極１０ａは、極細の線材として構成することができ、その幅（直径）を、１０〜４００［μｍ］（好適には３０〜３００［μｍ］、より一層好適には５０〜２００［μｍ］）に設定することができる。その場合、断面形状としては、円形、楕円形、多角形形状等、各種採用することができる。なお、放電極１０ａは、尖端を有する針状に形成してもよい。
【００２９】
グラウンド電極１０ｂは、例えば、放電極１０ａの先端側に離間させて当該放電極１０ａの延伸方向と略直交して配置される環状かつ板状の部材として設けることができる。
【００３０】
また、放電極１０ａは、例えば、遷移金属（例えば、金、銀、銅、白金、亜鉛、チタン、ロジウム、パラジウム、イリジウム、ルテニウム、オスミウム等）の単体、合金、あるいは遷移金属をメッキ処理した部材等として構成することができる。金属微粒子生成部１０で生成され放出された金属の微粒子に、金や、銀、銅、亜鉛等が含まれている場合、当該金属の微粒子によって抗菌作用を生じさせることができる。また、金属の微粒子に、白金、亜鉛、チタン等が含まれている場合、当該金属の微粒子によって抗酸化作用を生じさせることができる。なお、白金の微粒子は、抗酸化作用が極めて高いことが判明している。なお、金属微粒子の放出をさせない部分（例えばグラウンド電極１０ｂ等）は、ステンレススチールや、タングステン等を用いて構成することができる。
【００３１】
また、金属微粒子生成部１０は、放電作用によってイオン（例えばマイナスイオン、例えばＮＯ２−、ＮＯ３−等）を生じさせ、このイオンを、放電極１０ａや、グラウンド電極１０ｂ、他の金属材料や金属成分を含む部材等に衝突させることで、金属微粒子を生成するものであってもよい。すなわち、グラウンド電極１０ｂや上記他の部材を、上記遷移金属を含む材料によって構成し、これらから金属微粒子を放出させるようにしてもよい。
【００３２】
ミスト生成部１１は、導電性を有する金属材料によって形成される放電極１１ａおよびグラウンド電極１１ｂを有しており、これら放電極１１ａとグラウンド電極１１ｂとの間に第二の電圧印加回路１２によって高電圧を印加することで放電（コロナ放電等）を生じさせるものである。具体的には、例えば、放電極１１ａは針状に形成し、グラウンド電極１１ｂは放電極１１ａの先端側に離間配置した環状かつ板状の部材として形成することができる。また、ミスト生成部１１は、冷却機構としてのペルチェ素子（図示せず）および熱伝導性を有する部材（例えば金属部材等）からなる冷却板１１ｃとを含んでおり、ペルチェ素子によって冷却された冷却板１１ｃの表面に空気中の水分を結露させ、結露水を生じるようになっている。かかる構成では、供給された水、すなわち結露水が、放電作用によって微粒化され、ナノメータサイズの非常に細かいミスト（マイナスイオンを含むマイナスに帯電されたミスト）が生成される。本実施形態では、ペルチェ素子および冷却板１１ｃが水供給部に相当する。
【００３３】
本実施形態では、金属微粒子生成部１０およびミスト生成部１１ともに、イオンを発生させるイオン発生部に相当するものである。
【００３４】
また、本実施形態にかかるヘアドライヤ１は、発光部２１を備えている。発光部２１は、空洞９内に配置されたＬＥＤ（発光ダイオード）等の光源２１ａと、光源２１ａの光を導光するアクリル等の透光性を有する合成樹脂材料で形成される導光部材２１ｂと、を有している。図２に示すように、カバー２０の、金属微粒子排出口２０ａとミスト排出口２０ｂとの間には、縦長の長円状の孔２０ｃが形成されており、導光部材２１ｂの光源２１ａと反対側の出射端部２１ｃが、この孔２０ｃに嵌挿されて、カバー２０の外に露出している。したがって、光源２１ａの光は導光部材２１ｂによって導光され、出射端部２１ｃからカバー２０の外に出射される。かかる構成では、ヘアドライヤ１の使用時には、出射端部２１ｃが使用者の頭部に対向して配置されることになる。
【００３５】
この発光部２１は、ヘアドライヤ１の動作モードの表示手段として利用することができる。例えば、ヒータ８を使用していて温風が吹き出されている状態では赤色、ヒータ８を使用せず冷風が吹き出されている状態では緑色、金属微粒子生成部１０が稼動していて金属微粒子が放出されている状態では黄色、ミスト生成部１１が稼動していてミストが放出されている状態では青色、など、動作状態に応じて色を変化させるようにすることができる。この場合、例えば第二の電圧印加回路１２等と同じ基板上に実装された制御回路（図示せず）が各部の動作状態に応じて光源２１ａの発光を制御することができる。この場合、各色に対応する光源２１ａが複数実装され、制御回路がこれら複数の光源２１ａの発光を制御することになる。なお、制御回路によって光源２１ａを点滅させたり、その点滅間隔を制御したり、発光強度を変化させたりすることも可能であり、これら発光形態を、種々の動作モードに対応づけて設定することも可能である。
【００３６】
また、発光部２１からの光によって、人体に所定の効果を与えることも可能である。例えば、光源２１ａとして波長４１５［ｎｍ］の高輝度ＬＥＤを用いた場合には、当該光源２１ａから出射される青色光により、細菌の破壊による殺菌効果や、毛孔の縮小や皮脂の分泌低下等によるざ瘡（にきび）の予防効果などが得られることが確認されている。また、光源２１ａとして波長６３０［ｎｍ］程度の高輝度ＬＥＤを用いた場合には、当該光源２１ａから出射される赤色光により、血行促進、血管新生による新陳代謝の活性、コラーゲンやエラスチンの生成を促進するなどの効果が得られることが確認されている。さらに、赤色光の照射回数を重ねた場合には、小じわ、しみ、くすみ、開大毛孔などの光老化皮膚やざ瘡後の瘢痕の改善に有効であることが確認されている。なお、これらの効果は、人によって異なるものとなる。
【００３７】
さらに、発光部２１を、金属微粒子生成部１０あるいはミスト生成部１１を照らす照射手段として利用することができる。こうすれば、金属微粒子生成部１０やミスト生成部１１の状態を視認しやすくなるとともに、掃除等のメンテナンスを行う場合にも視認性が高まって作業効率が向上するという効果が得られる。
【００３８】
上述したように、本実施形態にかかる髪ケア装置としてのヘアドライヤ１は、金属微粒子生成部１０およびミスト生成部１１を同じ空洞９内に収容しているのであるが、ミスト生成部１１で生じたミストが金属微粒子生成部１０に到達すると、金属微粒子生成部１０が帯電して電圧や電界が変化して金属微粒子の生成が不安定化したり、金属微粒子生成部１０の金属部分が水分によって腐食したりする虞がある。
【００３９】
そこで、本実施形態では、金属微粒子生成部１０を、ミスト生成部１１で生成されたミストが通過するミスト通過領域Ａｍｉから外して配置してある。具体的には、図３に示すように、金属微粒子生成部１０を、ミスト生成部１１に対して、ミスト通過領域Ａｍｉでミストが通過する方向Ｄｐと略直交する方向Ｄｎに、離間して配置してある。ミストは、ミスト生成部１１から方向Ｄｐに向けて流出するため、ミスト生成部１１に対して当該方向Ｄｐと直交する方向Ｄｎに配置される金属微粒子生成部１０には到達し難くなる。したがって、かかる構成により、金属微粒子生成部１０は、ミスト生成部１１から流出したミストによる影響を受け難くなる。
【００４０】
また、本実施形態では、空洞９内では、金属微粒子生成部１０を、金属微粒子排出口２０ａに比較的近い位置で、当該金属微粒子排出口２０ａに対向させて配置し、ミスト生成部１１を、ミスト排出口２０ｂに比較的近い位置で、当該ミスト排出口２０ｂに対向させて配置している。さらに、ミスト生成部１１とカバー２０との距離Ｄ１を、ミスト生成部１１と金属微粒子生成部１０との距離Ｄ２より短くしてある。さらに、空洞９内では、間隙ｇ１から流入した分岐流Ｗｐは、金属微粒子排出口２０ａおよびミスト排出口２０ｂから外部に排出される。
【００４１】
したがって、本実施形態では、金属微粒子生成部１０で生成された金属微粒子は、比較的スムーズに金属微粒子排出口２０ａから排出されるとともに、ミスト生成部１１で生成されたミストは、比較的スムーズにミスト排出口２０ｂから排出される。すなわち、金属微粒子生成部１０で生成された金属微粒子はミスト生成部１１側には流れにくく、かつミスト生成部１１で生成されたミストは金属微粒子生成部１０側には流れにくい構成となっている。なお、分岐流Ｗｐは、金属微粒子およびミストの排出に貢献しているが、分岐流Ｗｐが無い場合でも、金属微粒子およびミストは対応する排出口２０ａ，２０ｂから排出される。
【００４２】
さらに、本実施形態では、空洞９内に遮蔽壁を設けることで、ミストが金属微粒子生成部１０に到達するのをより一層確実に抑制している。本実施形態では、導光部材２１ｂと、金属微粒子生成部１０を内筒６に取り付ける取付部材６ｄとを、遮蔽壁として利用している。
【００４３】
導光部材２１ｂは、板状に形成され、その厚み方向が内筒６の周方向に沿う姿勢で、金属微粒子生成部１０の放出端部側（図３の左側）とミスト生成部１１の放出端部側との間に配置されており、空洞９内で、金属微粒子通過領域（すなわち金属微粒子生成部１０に対して図３の左側の領域）Ａｍｅ側と、ミスト通過領域（すなわちミスト生成部１１に対して図３の左側の領域）Ａｍｉ側とを区画する遮蔽壁となっている。
【００４４】
取付部材６ｄは、内筒６の筒状部６ａから径外方向に向けて突設されており、金属微粒子生成部１０を内筒６に取り付ける部材である。そして、金属微粒子生成部１０側から金属微粒子排出口２０ａ側に向けて延びる遮蔽壁部６ｅを有している。この遮蔽壁部６ｅは、取付部材６ｄに設けられているため必然的に金属微粒子生成部１０に近接して配置されることとなり、比較的小さな構成でミストが金属微粒子生成部１０側に到達するのを効率よく抑制することができる。
【００４５】
また、取付部材６ｄの遮蔽壁部６ｅとカバー２０との間には間隙ｇ２を設け、カバー２０に滞留した電荷が遮蔽壁部６ｅを介して金属微粒子生成部１０側へ到来して金属微粒子生成部１０における金属微粒子の生成を阻害するのを抑制してある。なお、間隙ｇ２を設けるのに替えて、取付部材６ｄとカバー２０との間に導電性の低いあるいは絶縁性の部材を介在させてもよい。
【００４６】
そして、遮蔽壁として機能するこれら導光部材２１ｂおよび取付部材６ｄは、図３に示すように、空洞９内で並列にミストが通過する方向Ｄｐと略平行に配置されて、二重の遮蔽壁となっており、ミストが金属微粒子生成部１０に到達するのをより一層効果的に抑制してある。
【００４７】
ここで、本実施形態では、図４に示すように、金属微粒子排出口２０ａをミスト排出口２０ｂより小さく形成してある。具体的には、金属微粒子排出口２０ａおよびミスト排出口２０ｂともに断面円形の孔として、金属微粒子排出口２０ａの孔径Ｄａをミスト排出口２０ｂの孔径Ｄｂより小さくしてある（Ｄａ＜Ｄｂ）。
【００４８】
また、本実施形態では、金属微粒子生成部１０のグラウンド電極１０ｂに金属微粒子を通過させる開口部１０ｄを形成し、開口部１０ｄ（孔径：ｄ）を、金属微粒子排出口２０ａと同じ大きさかまたはより小さく形成してある（ｄ＜Ｄａ）。
【００４９】
さらに、本実施形態では、金属微粒子排出口２０ａには、金属微粒子の放出方向に向けてラッパ状に拡開する拡開部２０ｅを設けてある。
【００５０】
以上、説明したように、本実施形態では、金属微粒子排出口２０ａを、ミスト排出口２０ｂより小さく形成した。このため、ミスト排出口２０ｂを介してのミスト生成部１１のメンテナンスや状態の確認等をより容易に行うことができるとともに、金属微粒子排出口２０ａを介しての手指や、道具、異物等の誤進入を抑制することができる。
【００５１】
また、本実施形態では、金属微粒子生成部１０を金属微粒子排出口２０ａに対向させるとともにミスト生成部１１をミスト排出口２０ｂに対向させて設けたため、金属微粒子およびミストの排出効率を高めることができる。金属微粒子生成部１０を金属微粒子排出口２０ａに対向配置させた場合、当該金属微粒子排出口２０ａから放電極１０ａに対して比較的アクセスしやすくなる分、その影響が懸念されるのであるが、本実施形態では、金属微粒子排出口２０ａをミスト排出口２０ｂより小さく形成したことで、金属微粒子排出口２０ａから異物等が進入し難くなるため、上記対向配置したことによる効果を得やすくなる。
【００５２】
また、本実施形態では、金属微粒子生成部１０の放電極１０ａを線材によって構成した。線材は、長さ方向の位置によらず直径が同じである。よって、金属微粒子が放出されて放電極１０ａが徐々に消失しても、放電極１０ａの先端部の形状をほぼ同じ形状（曲率半径）に維持しやすくなって、放電性能ひいては金属微粒子の放出性能の経時変化（経時的な増減）を抑制することができる。また、異物等が進入しやすい状況では、線材としての放電極１０ａに変形が生じて性能の維持に支障を来す虞があるが、本実施形態では、金属微粒子排出口２０ａをミスト排出口２０ｂより小さく形成したことで、金属微粒子排出口２０ａから異物等が進入し難くなるため、放電極１０ａを線材にすることよる上記効果を得やすくなる。
【００５３】
また、本実施形態では、金属微粒子生成部１０のグラウンド電極１０ｂに金属微粒子を通過させる開口部１０ｄを形成し、開口部１０ｄを、金属微粒子排出口２０ａと同じ大きさかまたはより小さく形成してある。したがって、グラウンド電極１０ｂが遮蔽壁となって、外部からの異物等が放電極１０ａにより一層到達し難くなる。
【００５４】
また、本実施形態では、金属微粒子排出口２０ａには、金属微粒子の放出方向に向けてラッパ状に拡開する拡開部２０ｅを設けた。このため、この拡開部２０ｅによって、金属微粒子の拡散性を高めることができる。
【００５５】
（第２実施形態）図５は、本発明の第２実施形態にかかる髪ケア装置としてのヘアブラシの断面図である。
【００５６】
本実施形態にかかる髪ケア装置としてのヘアブラシ１Ｄは、棒状に形成されており、使用者が把持部１ｆを持って先端部１ｇに設けられたブラシ部２３を髪に当てて整髪する（髪を梳かす）ものである。ブラシ部２３には、複数のブリッスル２３ａが突設されている。
【００５７】
外壁をなすケース３Ｄは、複数の分割体を継ぎ合わせて構成されており、その内部には空洞が形成され、この空洞内に、各種電気部品が収容されている。
【００５８】
また、把持部１ｆのブラシ部２３に近い部分には、膨出した形状の外壁をなすカバー２０Ｄが取り付けられており、このカバー２０Ｄとケース３Ｄとによって形成される空洞９Ｄ内に、金属微粒子生成部１０とミスト生成部１１とが収容されている。カバー２０Ｄには、ブリッスル２３ａに向けて開放された排出口２０ｄが形成され、金属微粒子生成部１０で生成された金属微粒子ならびにミスト生成部１１で生成されたミストは、この排出口２０ｄから外部に放出され、髪や地肌に作用することになる。なお、金属微粒子生成部およびミスト生成部１１には、回路部２４から電圧が印加される。
【００５９】
さらに、本実施形態では、使用者の帯電によって金属微粒子の放出が阻害されるのを抑制するため、把持部１ｆの表面にチャージ部２５を露出させてある。チャージ部２５は、放出される金属微粒子およびミストの極性と逆の極性（例えば金属微粒子およびミストのマイナスイオンが放出される構成の場合にはプラス）に帯電され、使用者は、このチャージ部２５を握ることで、当該逆の極性に帯電される。なお、チャージ部２５の少なくとも最外層は絶縁性材料で構成されている。
【００６０】
また、遮蔽壁２２Ｄを設け、ミスト生成部１１で生成されたミストが金属微粒子生成部１０に到達するのを抑制している。
【００６１】
以上の本実施形態でも、上記第１実施形態と同様に、金属微粒子排出口２０ａを、ミスト排出口２０ｂより小さく形成した。このため、ミスト排出口２０ｂを介してのミスト生成部１１のメンテナンスや状態の確認等をより容易に行うことができるとともに、金属微粒子排出口２０ａを介しての手指や、道具、異物等の誤進入を抑制することができる。
【００６２】
そして、本実施形態でも、金属微粒子排出口２０ａをミスト排出口２０ｂより小さく形成したことで、金属微粒子排出口２０ａから異物等が進入し難くなるため、金属微粒子生成部１０を金属微粒子排出口２０ａに対向させるとともにミスト生成部１１をミスト排出口２０ｂに対向させて設けたことによる上記効果を得やすくなるとともに、放電極１０ａを線材にすることよる上記効果を得やすくなる。
【００６３】
また、本実施形態でも、金属微粒子生成部１０のグラウンド電極１０ｂに形成した開口部１０ｄを、金属微粒子排出口２０ａと同じ大きさかまたはより小さく形成することで、当該グラウンド電極１０ｂが遮蔽壁となって、外部からの異物等が放電極１０ａにより一層到達し難くなる。
【００６４】
（第３実施形態）図６は、本発明の第３実施形態にかかる髪ケア装置としてのヘアブラシの断面図である。
【００６５】
本実施形態にかかる髪ケア装置としてのヘアブラシ１Ｅは、基本的には上記第２実施形態にかかるヘアブラシ１Ｄと同様の構成要素を備えている。
【００６６】
ただし、本実施形態では、空洞９Ｄに空気流Ｗを生じさせるファン５Ｅおよびこのファン５Ｅを回転させるモータ７Ｅを設け、金属微粒子生成部１０で生成した金属微粒子ならびにミスト生成部１１で生成したミストを、分岐流Ｗｐに乗せて排出できるようにした点が、上記第２実施形態と相違している。
【００６７】
本実施形態では、送風機構としてのモータ７Ｅおよびファン５Ｅは、ケース３Ｅ内に形成される空洞内に収容されている。モータ７Ｅは回路部２４に含まれる駆動回路によって回転駆動される。ケース３Ｅの基端側（図６では下側）には空気の導入口となる開口部１ｈが形成されており、ファン５Ｅが回転すると、空気が外部から開口部１ｈを介して空洞９Ｄ内に流入し、当該空洞９Ｄ内を通って排出口２０ｄからブラシ部２３に向けて排出される空気流Ｗが形成されるとともに、ブラシ部２３のブリッスル２３ａの根元に形成された吹出孔２３ｂからも空気が吹き出される。なお、本実施形態では、電源コード２を介して電気部品に電力が供給されるようになっている。
【００６８】
以上の本実施形態によっても、上記第２実施形態と同様の効果を得ることができる。
【００６９】
（第４実施形態）図７，図８は、本発明の第４実施形態を示しており、このうち、図７は、本実施形態にかかる髪ケア装置としてのヘアアイロンの側面図、図８は、図７のVIII−VIII断面図である。
【００７０】
図７に示すように、本実施形態にかかる髪ケア装置としてのヘアアイロン１Ｆは、回動連結部１ｋを介して略Ｖ字状に拡開可能な二つのアーム部１ｉ，１ｊを備えており、それらアーム部１ｉ，１ｊの先端側の挟持部２６に髪を挟み込んで加熱部２７で加熱して整髪するものである。
【００７１】
図８に示すように、外壁をなすケース３Ｆの内部には空洞が形成され、この空洞内に、各種電気部品が収容されている。
【００７２】
アーム部１ｉのケース３Ｆの、挟持部２６に対して回動連結部１ｋ側に隣接する部分には、相反する方向（図８の左右方向）に張り出す外壁をなす一対のカバー２０Ｆ１，２０Ｆ２が取り付けられており、このカバー２０Ｆ１，２０Ｆ２とケース３Ｆとによって形成される空洞９Ｆ内に、金属微粒子生成部１０とミスト生成部１１とが収容されている。金属微粒子生成部１０は、カバー２０Ｆ１内に収容されており、金属微粒子はカバー２０Ｆ１に形成された金属微粒子排出口２０ａから放出される。一方、ミスト生成部１１は、カバー２０Ｆ２内に収容されており、ミストはカバー２０Ｆ２に形成されたミスト排出口２０ｂから放出される。
【００７３】
金属微粒子生成部１０およびミスト生成部１１は、同一空間としての空洞９Ｆ内に配置されているものの、互いに離間して配置されている上、ミスト生成部１１は、カバー２０Ｆ２のミスト排出口２０ｂに比較的近接した位置で対向して配置されており、しかもミストの排出方向を、空洞９Ｆの中心部から離間する方向に設定しているため、図７からも明らかとなるように、金属微粒子生成部１０は、ミスト生成部１１からのミスト通過領域Ａｍｉから外した位置に比較的容易に配置することができる。すなわち、本実施形態では、アーム部１ｉの中心部を挟む両側に金属微粒子生成部１０とミスト生成部１１とを配置するという比較的簡素な構成によって、金属微粒子生成部１０に対してミスト生成部１１で生成されたミストによる悪影響が及ぶのを抑制することができる。
【００７４】
以上の本実施形態でも、上記実施形態と同様に、金属微粒子排出口２０ａを、ミスト排出口２０ｂより小さく形成した。このため、ミスト排出口２０ｂを介してのミスト生成部１１のメンテナンスや状態の確認等をより容易に行うことができるとともに、金属微粒子排出口２０ａを介しての手指や、道具、異物等の誤進入を抑制することができる。
【００７５】
そして、本実施形態でも、金属微粒子排出口２０ａをミスト排出口２０ｂより小さく形成したことで、金属微粒子排出口２０ａから異物等が進入し難くなるため、金属微粒子生成部１０を金属微粒子排出口２０ａに対向させるとともにミスト生成部１１をミスト排出口２０ｂに対向させて設けたことによる上記効果を得やすくなるとともに、放電極１０ａを線材にすることよる上記効果を得やすくなる。
【００７６】
また、本実施形態でも、金属微粒子生成部１０のグラウンド電極１０ｂに形成した開口部１０ｄを、金属微粒子排出口２０ａと同じ大きさかまたはより小さく形成することで、当該グラウンド電極１０ｂが遮蔽壁となって、外部からの異物等が放電極１０ａにより一層到達し難くなる。
【００７７】
以上、本発明の好適な実施形態について説明したが、本発明は上記実施形態には限定されず、種々の変形が可能である。例えば、金属微粒子排出口およびミスト排出口ともに、断面円形孔であることは必須ではなく、楕円形や矩形等、他の形状とすることができる。
【図面の簡単な説明】
【００７８】
【図１】本発明の第１実施形態にかかる髪ケア装置としてのヘアドライヤの断面図である。
【図２】本発明の第１実施形態にかかる髪ケア装置としてのヘアドライヤを出口開口側から見た正面図である。
【図３】本発明の第１実施形態にかかる髪ケア装置としてのヘアドライヤの本体部内で金属微粒子生成部とミスト生成部が設けられる部分を拡大して示す平面図である。
【図４】本発明の第１実施形態にかかる髪ケア装置を出口開口側から見た正面図であって、金属微粒子排出口およびミスト排出口を拡大して示した図である。
【図５】本発明の第２実施形態にかかる髪ケア装置としてのヘアブラシの断面図である。
【図６】本発明の第３実施形態にかかる髪ケア装置としてのヘアブラシの断面図である。
【図７】本発明の第４実施形態にかかる髪ケア装置としてのヘアアイロンの側面図である。
【図８】図７のVIII−VIII断面図である。
【符号の説明】
【００７９】
１  ヘアドライヤ（髪ケア装置）
１Ｄ，１Ｅ  ヘアブラシ（髪ケア装置）
１Ｆ  ヘアアイロン（髪ケア装置）
１０  金属微粒子生成部
１０ａ  放電極
１０ｂ  グラウンド電極
１０ｄ  開口部
１１  ミスト生成部
１１ａ  放電極
１１ｂ  グラウンド電極
２０，２０Ｄ，２０Ｆ１，２０Ｆ２  カバー（外壁）
２０ａ  金属微粒子排出口
２０ｂ  ミスト排出口
２０ｅ  拡開部
【図１】
2010125170.tif 000003
【図２】
2010125170.tif 000004
【図３】
2010125170.tif 000005
【図４】
2010125170.tif 000006
【図５】
2010125170.tif 000007
【図６】
2010125170.tif 000008
【図７】
2010125170.tif 000009
【図８】
2010125170.tif 000010